(57)【要約】      （修正有）【課題】開錠および施錠を容易に行うことが可能な施錠装置およびこれを用いたゴミ箱を提供すること。【解決手段】止め具Ｂｃをロックもしくは解放する施錠装置Ａであって、止め具受容部１１に対する止め具の出入りを許容する開状態および止め具の出入りを阻止する閉状態をとるロックレバー２と、ロックレバーが閉状態となることを阻止する干渉状態もしくは閉状態となることを許容する非干渉状態をとるストッパレバー３と、ロックレバーを閉状態でロックするとともに、カードキーＣの挿入によりロックレバーを閉状態から開状態へとアンロックする施錠機構Ｌとを備えており、ロック状態は、ロックレバーが上記閉状態において施錠機構Ｌによりロックされた状態であり、アンロック状態は、カードキーが挿入された施錠機構により、または干渉状態とされたストッパレバーにより、ロックレバーが開状態とされた状態である。【選択図】  図４
2007285002.tif 000002
【特許請求の範囲】
【請求項１】
装置外の止め具をロックするロック状態と、上記止め具を解放するアンロック状態とをとる構成とされた施錠装置であって、
上記止め具を受容する止め具受容部と、
上記止め具受容部に対する上記止め具の出入りを許容する開状態および上記止め具受容部に対する上記止め具の出入りを阻止する閉状態をとるロックレバーと、
上記ロックレバーが上記閉状態となることを阻止する干渉状態および上記ロックレバーが上記閉状態となることを許容する非干渉状態をとるストッパレバーと、
上記ロックレバーを上記閉状態でロックするとともに、カードキーを挿入する動作により上記ロックレバーを上記閉状態から上記開状態へとアンロックする施錠機構と、を備えており、
上記ロック状態は、上記ロックレバーが上記閉状態において上記施錠機構によりロックされた状態であり、
上記アンロック状態は、上記カードキーが挿入された上記施錠機構により、または上記干渉状態とされた上記ストッパレバーにより、上記ロックレバーが上記開状態とされた状態である構成とされていることを特徴とする、施錠装置。
【請求項２】
上記ロックレバーを上記閉状態へと移動させる方向に弾性力を付勢するロックレバー用弾性部材をさらに備える、請求項１に記載の施錠装置。
【請求項３】
上記ストッパレバーは、上記止め具が上記止め具受容部に進入することにより、上記干渉状態から上記非干渉状態とされるとともに、
上記ストッパレバーを上記干渉状態へと移動させる方向に弾性力を付勢するストッパレバー用弾性部材をさらに備える、請求項１または２に記載の施錠装置。
【請求項４】
上記施錠機構は、上記ロックレバーの一部に係合するアームと、このアームとともにスライドするスライドブロックと、を含んでおり、
上記スライドブロックのうち、上記カードキーの挿入経路に面する主面には、複数の孔が形成されており、
上記複数の孔のいずれかには、上記孔に進退動可能に内嵌し、上記主面外方へと付勢されるとともに、テーパ状の先端部が上記カードキーの挿入経路に突出している１以上のロックピンが設けられている一方、上記カードキーには、１以上の孔が形成されており、
上記カードキーが挿入された状態において、上記カードキーの上記各孔に上記各ロックピンの上記先端部が進入することにより、上記スライドブロックがスライド可能な状態となり、この状態から上記カードキーがさらに挿入されることにより、上記スライドブロックおよび上記アームが上記カードキーの挿入方向へと移動させられて、上記ロックレバーが上記閉状態から上記開状態へとアンロックされる、請求項１ないし３のいずれかに記載の施錠装置。
【請求項５】
ゴミを受容するゴミ受容部を含む本体と、
上記本体を閉鎖する閉状態および上記本体を開放する開状態をとり、かつ上記止め具が取り付けられた開閉部材と、
上記本体に対して固定された請求項１ないし４のいずれかに記載の施錠装置と、を備えていることを特徴とする、ゴミ箱。
【請求項６】
上記開閉部材は、上記ゴミ受容部へのゴミ投入を阻止する閉状態と、および上記ゴミ受容部へのゴミ投入を許可する開状態とをとる蓋または扉などである、請求項５に記載のゴミ箱。
【請求項７】
上記施錠装置が上記アンロック状態であるときに、上記蓋を上記閉状態と上記開状態との間の中間状態とさせる蓋用弾性部材をさらに備える、請求項６に記載のゴミ箱。
【発明の詳細な説明】
【技術分野】
【０００１】
本発明は、施錠装置およびこれを用いたゴミ箱に関する。
【背景技術】
【０００２】
図１２は、従来のゴミ箱の一例を示している。同図に示されたゴミ箱Ｘは、投棄されたゴミ袋を受容するためのゴミ受容部９１と、ゴミ受容部９１に対して回動可能に取り付けられた蓋９２とを備えている。たとえば集合住宅でのゴミ集積にゴミ箱Ｘを用いる場合には、臭気漏洩、周辺へのゴミの飛散、あるいは放火などを防止するために、蓋９２を閉状態で施錠することが行われている。この施錠には、一般的に南京錠と呼ばれる施錠装置を用いることが多い。
【０００３】
しかしながら、上記南京錠を用いた場合、使用者は、まず上記南京錠を開錠するための鍵を上記南京錠に挿入し、これを回転させるなどして、上記南京錠をゴミ箱Ｘから取り外す必要がある。この作業を行うには、手に持ったゴミ袋をいったん地面に置いた後に、両手で上記南京錠と上記鍵とを保持することが強いられる。このようなことでは、使用者は、開錠した後にあらためてゴミ袋を持ち直してゴミ受容部９１へと投棄する必要があり、甚だ不便である。さらに、ゴミ袋を投棄した後には、再び、上記鍵によって上記南京錠を施錠する必要がある。また、上記南京錠を開錠および施錠する作業自体が、高齢者や身体障害者にとっては面倒な作業であり、たとえばゴミ袋の投棄後に開錠されたままとなるおそれもある。
【０００４】
【特許文献１】特開平１１−２０８８０５号公報
【発明の開示】
【発明が解決しようとする課題】
【０００５】
本発明は、上記した事情のもとで考え出されたものであって、開錠および施錠を容易に行うことが可能な施錠装置およびこれを用いたゴミ箱を提供することをその課題としている。
【課題を解決するための手段】
【０００６】
上記課題を解決するため、本発明では、次の技術的手段を講じている。
【０００７】
本発明の第１の側面によって提供される施錠装置は、装置外の止め具をロックするロック状態と、上記止め具を解放するアンロック状態とをとる構成とされた施錠装置であって、上記止め具を受容する止め具受容部と、上記止め具受容部に対する上記止め具の出入りを許容する開状態および上記止め具受容部に対する上記止め具の出入りを阻止する閉状態をとるロックレバーと、上記ロックレバーが上記閉状態となることを阻止する干渉状態および上記ロックレバーが上記閉状態となることを許容する非干渉状態をとるストッパレバーと、上記ロックレバーを上記閉状態でロックするとともに、カードキーを挿入する動作により上記ロックレバーを上記閉状態から上記開状態へとアンロックする施錠機構と、を備えており、上記ロック状態は、上記ロックレバーが上記閉状態において上記施錠機構によりロックされた状態であり、上記アンロック状態は、上記カードキーが挿入された上記施錠機構により、または上記干渉状態とされた上記ストッパレバーにより、上記ロックレバーが上記開状態とされた状態である構成とされていることを特徴としている。
【０００８】
このような構成によれば、上記カードキーを挿入する動作のみによって、上記施錠装置について上記止め具を解放するアンロック状態とすることができる。これにより、上記施錠装置の開錠作業は、いわゆるワンアクションで完了させることが可能である。したがって、上記施錠装置を開錠する作業を容易とすることができる。
【０００９】
本発明の好ましい実施の形態においては、上記ロックレバーを上記閉状態へと移動させる方向に弾性力を付勢するロックレバー用弾性部材をさらに備える。このような構成によれば、上記ストッパレバーが上記干渉状態から上記非干渉状態となったときに、上記ロックレバーは、自然に上記閉状態をとらされることとなる。したがって、上記施錠装置の施錠作業を自動的に行うことができる。
【００１０】
本発明の好ましい実施の形態においては、上記ストッパレバーは、上記止め具が上記止め具受容部に進入することにより、上記干渉状態から上記非干渉状態とされるとともに、上記ストッパレバーを上記干渉状態へと移動させる方向に弾性力を付勢するストッパレバー用弾性部材をさらに備える。このような構成によれば、上記止め具が上記止め具受容部から退出しているときは、上記ストッパレバーは自然に上記干渉状態をとる。これにともない、上記ロックレバーは、上記開状態を取ることとなる。したがって、上記止め具が上記止め具受容部に進入可能な開状態を保持しておくことが可能である。また、上記止め具が上記止め具受容部に進入してくると、この進入動作に伴い、上記ストッパレバーが上記非干渉状態とされる。これにより、上記ロックレバーは、自然に上記閉状態をとることとなる。このように、上記止め具の進入動作を許容する開状態の保持と、上記止め具の進入動作を利用した閉状態への自動的な移行とを実現することができる。
【００１１】
本発明の好ましい実施の形態においては、上記施錠機構は、上記ロックレバーの一部に係合するアームと、このアームとともにスライドするスライドブロックと、を含んでおり、上記スライドブロックのうち、上記カードキーの挿入経路に面する主面には、複数の孔が形成されており、上記複数の孔のいずれかには、上記孔に進退動可能に内嵌し、上記主面外方へと付勢されるとともに、テーパ状の先端部が上記カードキーの挿入経路に突出している１以上のロックピンが設けられている一方、上記カードキーには、１以上の孔が形成されており、上記カードキーが挿入された状態において、上記カードキーの上記各孔に上記各ロックピンの上記先端部が進入することにより、上記スライドブロックがスライド可能な状態となり、この状態から上記カードキーがさらに挿入されることにより、上記スライドブロックおよび上記アームが上記カードキーの挿入方向へと移動させられて、上記ロックレバーが上記閉状態から上記開状態へとアンロックされる。このような構成によれば、上記カードキーを挿入する動作により上記施錠装置を適切にアンロック状態とすることができる。
【００１２】
本発明の第２の側面によって提供されるゴミ箱は、ゴミを受容するゴミ受容部を含む本体と、上記本体を閉鎖する閉状態および上記本体を開放する開状態をとり、かつ上記止め具が取り付けられた開閉部材と、上記本体に対して固定された本発明の第１側面によって提供される施錠装置と、を備えていることを特徴としている。このような構成によれば、上記カードキーを保有する正当な使用者のみに対して上記ゴミ箱の使用を許可することが可能であり、不当使用者によって上記ゴミ箱が荒らされることなどを防止することができる。
【００１３】
本発明の好ましい実施の形態においては、上記開閉部材は、上記ゴミ受容部へのゴミ投入を阻止する閉状態と、および上記ゴミ受容部へのゴミ投入を許可する開状態とをとる蓋または扉などである。このような構成によれば、上記ゴミ箱の使用者は、ゴミ袋を手に持ったまま、上記カードキーを挿入するだけで上記蓋を開放することができる。したがって、ゴミ袋の投棄作業を容易に行うことができる。
【００１４】
本発明の好ましい実施の形態においては、上記施錠装置が上記アンロック状態であるときに、上記蓋を上記閉状態と上記開状態との間の中間状態とさせる蓋用弾性部材をさらに備える。このような構成によれば、上記蓋が上記中間状態であることを視認することにより、上記施錠装置がアンロック状態であることを容易に確認することが可能である。
【００１５】
本発明のその他の特徴および利点は、添付図面を参照して以下に行う詳細な説明によって、より明らかとなろう。
【発明を実施するための最良の形態】
【００１６】
以下、本発明の好ましい実施の形態につき、図面を参照して具体的に説明する。
【００１７】
図１は、本発明に係るゴミ箱の一例を示している。同図に示されたゴミ箱Ｂは、ゴミ受容部Ｂａ、蓋Ｂｂ、シールゴムＢｄ、および施錠装置Ａを備えている。
【００１８】
ゴミ受容部Ｂａは、たとえば全体が矩形箱状であり、たとえば樹脂製である。ゴミ受容部Ｂａは、投棄されたゴミ袋が回収されるまで保存しておくためのものである。本実施形態においては、本発明で言う本体がゴミ受容部を兼ねた構成とされている。
【００１９】
蓋Ｂｂは、ゴミ受容部Ｂａを閉鎖することにより、外観および衛生状態を良好とするためのものであり、本発明で言う開閉部材の一例である。蓋Ｂｂは、たとえば長手方向に反割りされた円筒状であり、たとえば樹脂製である。蓋Ｂｂは、ゴミ受容部Ｂａに対して回動可能に支持されている。これにより、蓋Ｂｂは、ゴミ受容部Ｂａを閉鎖する閉状態と、ゴミ受容部Ｂａにゴミ袋を投棄可能とする開状態とをとる。蓋Ｂｂの一端縁には、止め具Ｂｃが取り付けられている。本実施形態においては、止め具Ｂｃは、コの字状の棒部材であり、たとえば鉄製である。止め具Ｂｃは、施錠装置Ａによってロックされることにより、蓋Ｂｂを閉状態に保つためのものである。
【００２０】
シールゴムＢｄは、ゴミ受容部Ｂｂの上端面を覆うように取り付けられており、たとえば合成ゴム製である。シールゴムＢｄは、蓋Ｂｂが閉状態とされたときに、ゴミ受容部Ｂａと蓋Ｂｂとの間に隙間が生じることを防止するためのものである。また、シールゴムＢｄは、蓋Ｂｂの自重を負担可能な程度の弾性力を付勢可能とされている。これにより、図１１に示すように、施錠装置Ａによって止め具Ｂｃがロックされていないときには、蓋Ｂｂは、閉状態と開状態との間においていわゆる半開きとされた中間状態に保たれる。
【００２１】
施錠装置Ａは、ゴミ箱Ｂに想定された使用者以外の者がゴミを投棄したり、投棄されたゴミが周囲に不当に散乱したりすることを防止するためのものであり、本発明に係る施錠装置の一例に相当する。施錠装置Ａは、止め具Ｂｃをロックおよびアンロック可能に構成されている。施錠装置Ａのアンロックには、キー孔Ｃａが形成されたカードキーＣが用いられる。以下に、施錠装置Ａの構成および機能について説明する。
【００２２】
図２に示すように、施錠装置Ａは、ケース１、ロックレバー２、ストッパレバー３、および施錠機構Ｌを具備して構成されている。
【００２３】
ケース１は、たとえば全体略矩形状の箱状であり、たとえば樹脂製である。ケース１は、ロックレバー２、ストッパレバー３、および施錠機構Ｌを収容および保護するためのものである。図１および図２に示すように、ケース１の図中右側面には、カードキーＣを挿入するための挿入口１ａが形成されている。また、ケース１の図中上部には、止め具Ｂｃを受容するための止め具受容部１１が形成されている。なお、ゴミ受容部Ｂａには、止め具受容部１１に連通する凹部が形成されている。
【００２４】
ロックレバー２は、止め具受容部１１に受容された止め具Ｂｃが退出することを阻止する閉状態と、止め具受容部１１に止め具Ｂｃが進入することを許容する開状態とに切り替えられることにより、施錠装置Ａをロック状態およびアンロック状態とするためのものである。ロックレバー２は、ピン２７によってケース１に対して回動可能に支持されており、たとえば銅製である。ロックレバー２は、先端部２ａと係合部２ｂとが形成されている。先端部２ａは、ロックレバー２全体の長手方向に対して略直角に突出しており、ロックレバー２が閉状態とされたときに止め具受容部１１を閉鎖するためのものである。係合部２ｂは、先端が円形状とされた部分であり、後述する施錠機構Ｌの進退動を伝達して、ロックレバー２全体を回動させるためのものである。ロックレバー２とケース１の図中右側内面との間にはバネ２８が設けられている。バネ２８は、ロックレバー２を閉状態とする方向に弾性力を付勢するためのものであり、本発明で言うロックレバー用弾性部材の一例に相当する。
【００２５】
ストッパレバー３は、ロックレバー２の先端部２ａと干渉する干渉状態と、先端部２ａとは干渉しない非干渉状態とをとることにより、ロックレバー２が閉状態となることを適宜阻止するためのものである。ストッパレバー３は、ピン３７によってケース１に対して回動可能に支持されており、たとえば銅製である。ストッパレバーの先端部３ａは、干渉状態において止め具受容部１１の図中上部に位置するとともに、ロックレバー２の先端部２ａと干渉することにより、ロックレバー２が閉状態となることを阻止する。ストッパレバー３とケース１の図中左側内面から突出する部分との間には、バネ３８が設けられている。バネ３８は、ストッパレバー３を干渉状態とする方向に弾性力を付勢するためのものであり、本発明で言うストッパレバー用弾性部材の一例に相当する。
【００２６】
施錠機構Ｌは、スライドブロック４、１対のガイドブロック５Ａ，５Ｂ、複数のロックピン６、およびアーム７を具備して構成されている。施錠機構Ｌは、ロックレバー２の閉状態および開状態をカードキーＣの挿入動作により切り替えるためのものである。
【００２７】
１対のガイドブロック５Ａ，５Ｂは、それぞれ扁平な板状ブロックであり、スライドブロック４を挟むように離間して配置されている。ガイドブロック５Ａ，５Ｂは、互いに略対称な構造を有している。以下にガイドブロック５Ａについて説明するが、後述する相違点を除いて、ガイドブロック５Ｂも同様の構成とされている。
【００２８】
ガイドブロック５Ａのうちスライドブロック４と対向する面には、図５に示すように、ガイド溝５１およびスライド溝５２が形成されている。ガイド溝５１は、図中左右方向において配列された複数の鉛直溝５１ｖと、図中左右方向に延びる水平溝５１ｈとが、互いに交差したものである。水平溝５１ｈは、複数の鉛直溝５１ｖそれぞれの中央よりやや上方の部分において交差している。各鉛直溝５１ｖは、水平溝５１ｈより上方の上端部５１ｖｕと、水平溝５１ｈより下方の下端部５１ｖｄとに区画されている。２つのスライド溝５２は、ガイドブロック５Ａの下端付近に設けられており、図中左右方向に延びる比較的短い溝である。なお、ガイドブロック５Ｂにも、ガイドブロック５Ａと同様のガイド溝５１およびスライド溝５２が形成されている。ガイドブロック５Ａ，５Ｂのガイド溝５１は、互いにほぼ同一形状であり、対向するように位置しているが、後述するロックピン６の配置に対応させて、互いに図中左右方向においてシフトした位置関係となっている。
【００２９】
図２に示すように、スライドブロック４は、略直方体形状であり、１対のガイドブロック５Ａ，５Ｂに挟まれるように設けられている。スライドブロック４は、図２および図６に示すように、１対のサイド部４Ａと、これらのサイド部４Ａを連結する天板４Ｂ、端枠部４Ｃ，４Ｄから構成されている。各サイド部４Ａの下端付近には、１対のサイド部４Ａに向かい合う方向に突出する突起４２が２つずつ設けられている。これらの突起４２は、ガイドブロック５Ａ，５Ｂのスライド溝５２に挿入されている。これにより、スライドブロック４は、図中左右方向においてスライド溝５２の長さ分だけスライド可能に支持されている。スライドブロック４の図中左端には、突き当て部材４４が形成されている。
【００３０】
図２および図６に示すように、アーム７は、スライドブロック４に対して固定されており、スライドブロック７とともにスライド可能とされている。アーム７のスライドブロック４に対する固定は、たとえば本体部７１をサイド部４Ａに対して接着することによりなされている。本体部７１の図中左寄りの部分には、２つの突起７２が形成されている。これらの突起７２の間の領域は、凹部７ａとなっている。凹部７ａは、ロックレバー２の係合部２ｂと係合する部分である。この係合により、アーム７がスライドすると、ロックレバー２が回動させられる。
【００３１】
図２に示すように、スライドブロック４には、両側縁に沿って配置された複数の孔４１が形成されている。図７に示すように、各孔４１には、スライドブロック４の外方に挿通する縦溝４１ａが形成されている。図２に示すように、複数の孔４１のいずれかには、ロックピン６が挿入されている。本実施形態においては、たとえば２つのロックピン６が図示されたように２つの孔４１に挿入されている。施錠装置Ａにおいて使用されるロックピン６の本数と、いずれの孔４１内に挿入されるかとは、施錠装置Ａについて固有に設定されている。これらが、カードキーＣのキー孔Ｃａの個数および配置と対応している。
【００３２】
図２および図７に示すように、ロックピン６は、円錐状の先端部６１と円柱部６２とを有している。円柱部６２の上部には、突起６３が設けられている。先端部６１の頂部は、その直径がカードキーＣのキー孔Ｃａの内径よりも小とされている。一方、円柱部６２は、その直径がキー孔Ｃａの内径よりも大とされている。ロックピン６は、突起６３が縦溝４１ａから突出するように、孔４１に挿入されている。ロックピン６の下方には、バネ６８が設けられている。これにより、ロックピン６は、孔４１および縦溝４１ａに規制されて図中上下方向に往復動可能であるとともに、バネ６８により図中上方に付勢されている。突起６３は、縦溝４１ａから突出した部分が、図５に示すガイドブロック５Ａ，５Ｂのガイド溝５１内に進入している。これにより、後述するように、ロックピン６の上下動に伴いスライドブロック４のスライド可否が選択可能な構成となっている。
【００３３】
次に施錠装置Ａおよびゴミ箱Ｂの使用方法について、図２〜図４および図８〜図１０を参照しつつ、以下に説明する。図８〜図１０は、施錠機構Ｌを図２における図中下方からみた要部側面図である。
【００３４】
図２は、アンロック状態とされた施錠装置Ａを示している。この状態においては、ストッパレバー３が図中上方寄りの干渉状態とされており、ロックレバー２が開状態とされている。施錠機構Ｌにおいては、スライドブロック４が１対の固定ブロック５Ａ，５Ｂに対して図中左方にスライドした状態にある。なお、図示されたアンロック状態においてはカードキーＣが施錠機構Ｌに挿入されていることが必要であるが、本図においては、理解の便宜のためカードキーＣを省略している。この場合、図１１に示すように、蓋Ｂｂは施錠装置Ａによってはロックされていないため、図中実線で示す中間状態、あるいは使用者が蓋Ｂｂを開ける動作がなされれば、図中右側の開状態となっている。
【００３５】
次に、ゴミ袋を投棄した使用者が蓋Ｂｂを閉める動作をすると、図３に示された状態となる。図２において使用者が蓋Ｂｂを閉めると、止め具Ｂｃが図中上方から止め具受容部１１に向けて下降してくる。止め具Ｂｃがストッパレバー３に当接すると、その後は、図３に示すように、止め具Ｂｃによってストッパレバー３が図中下方へと押し下げられる。これにより、ストッパレバー３はロックレバー２とは干渉しない非干渉状態となる。ストッパレバー３が非干渉状態となり、さらに止め具Ｂｃがロックレバー２の先端部２ａよりも図中下方に下降すると、ロックレバー２は、バネ２８の弾性力により、開状態から閉状態へと回動させられる。この結果、ストッパレバー３とロックレバー２との間に止め具Ｂｃが挟持される状態となる。この状態では、止め具Ｂｃは止め具受容部１１から退出することが阻止されている。また、このとき、ロックレバー２の係合部２ｂは、ロックレバー２の回動に伴い、図中右方へとスライドさせられる。すると、図８に示すように、ロックピン６の突起６３が水平溝５１ｈを通った後にバネ６８の弾性力により鉛直溝５１ｖの上端部５１ｖｕ内に移動させられる。これにより、スライドブロック４は、図中左右方向におけるスライドが不可の状態となる。以上より、施錠装置Ａがロック状態となる。
【００３６】
使用者が再び蓋Ｂｂを開けるためには、ロック状態となった施錠装置Ａをアンロック状態とする。施錠装置Ａをアンロック状態とするには、カードキーＣを用いる。図４に示すように、使用者は、カードキーＣを挿入口１ａから図中左方へと挿入する。カードキーＣが挿入された直後は、キー孔Ｃａとロックピン６との位置がずれた状態である。このため、各ロックピン６は、カードキーＣの下面に押し下げられて、スライドブロック４内に沈降させられる。この際、各ロックピン６の突起６３は、鉛直溝５１ｖの上端部５１ｖｕから水平溝５１ｈを超えて鉛直溝５１ｖの下端部５１ｖｄ内に移動させられる。その後、図９に示すように、さらに突き当て部材４４に当接する位置までカードキーＣを挿入する。カードキーＣには、この状態において各ロックピン６と一致するように各キー孔Ｃａが形成されている。このため、沈降させられていた各ロックピン６は、それぞれの先端部６１の上部を対応する各キー孔Ｃａに進入させる位置までバネ６８の付勢力により上昇させられる。上述したように、互いに対応するロックピン６の寸法とキー孔Ｃａの寸法とは、ロックピン６の先端部６１がキー孔Ｃａを完全に貫通せずに停止する寸法関係とされている。この状態において、すべてのロックピン６の突起６３は、水平溝５１ｈの高さに位置する。これにより、突起６３と鉛直溝５１ｖとが嵌り合うことによるロック作用が解除され、スライドブロック４が図中左右方向にスライド可能な状態となる。
【００３７】
図９に示した状態から、さらにカードキーＣを図中左向に挿入すると、図１０に示すように、施錠機構Ｌのロック状態が解除される。図９においてスライドブロック４は、スライド可能とされている。カードキーＣをさらに図中左方に押し込むと、カードキーＣの先端が突き当て部材４４を押すとともに、各キー孔Ｃａが各ロックピン６を押すこととなる。そうすると、図１０に示すように、スライドブロック４、ロックピン６およびアーム７が一体的に図中左方へとスライドさせられる。この結果、図４に示すように、ロックレバー２の係合部２ｂが図中左方へと押される格好となり、ロックレバー２全体が図中時計回りに回動させられる。これにより、止め具受容部１１が開放されることとなり、止め具Ｂｃを図中上方へと退出させることが可能となる。以上より、使用者は、蓋Ｂｂを開けてゴミ袋の投棄を行うことができる。
【００３８】
止め具Ｂｃが退出すると、これと同時にストッパレバー３がバネ３８の弾性力により、図中反時計回りに回動させられる。これにより、ストッパレバー３は再び干渉状態となり、ロックレバー２が閉状態となることを阻止する。この結果、施錠装置Ａは、ふたたび図２に示すアンロック状態となり、止め具Ｂｃを受容可能な状態となる。なお、施錠装置Ａがアンロック状態である場合は、図１０に示すように施錠機構Ｌにおいては、ピン６の突起６３が水平溝５１ｈ内に留まっている状態とされている。このため、ピン６の上下動が規制されることとなり、カードキーＣの引き抜きが不可の状態となる。一方、施錠装置Ａをロック状態とすれば、カードキーＣの引き抜きが許容される。
【００３９】
次に、施錠装置Ａおよびゴミ箱Ｂの作用について以下に説明する。
【００４０】
本実施形態によれば、図４に示すように、カードキーＣを挿入する動作のみによって、施錠装置Ａをアンロック状態とすることが可能である。ゴミ箱Ｂの使用者は、ゴミ袋を投棄するときには、片手にゴミ袋を持ったまま、施錠装置Ａを開錠し、蓋Ｂｂを開けることができる。したがって、使用者がゴミ袋を投棄する作業において、身体的負担を軽減するのに適している。
【００４１】
図３に示すように、ゴミ袋の投棄が終わった後に、蓋Ｂｂを閉状態とすると、止め具Ｂｃによってストッパレバー３が非干渉状態とされる。これにより、ロックレバー２は、自然に閉状態をとらされることとなる。したがって、蓋Ｂｂを閉状態とする動作のみによって、施錠装置Ａをロック状態とすることが可能であり、施錠するための専用の作業が不要である。
【００４２】
施錠装置Ａがアンロック状態とされて、止め具Ｂｃが止め具受容部１１から退出すると、即座にストッパレバー３が干渉位置となり、ロックレバー２が開状態のままとされる。これにより、再び蓋を閉めるまでの間に、不当にロックレバー２が閉状態となってしまうことを防止することができる。
【００４３】
図９および図１０に示すように、カードキーＣによってロックピン６をいわゆる中間位置に保つことによりスライドブロック４がスライド可能となる構成とされている。このため、いったんカードキーＣを図中左方に挿入した後も、図４に示すバネ２８の弾性力により、スライドブロック４は、図中右方へと押し戻される。これは、自動的にロック状態とするのに合理的な構成である。また、カードキーＣを模した不正なカードキーを作ろうとしても、キー孔の径およびキー孔の位置関係が適正でなければ施錠装置Ａの開錠は不可能である。したがって、施錠装置Ａは、高い防犯効果が期待される。
【００４４】
図１１に示すように、施錠装置Ａがアンロック状態であれば、蓋Ｂｂは中間状態に保持される。これは、使用者にとって施錠装置Ａがロック状態にあるのかアンロック状態にあるのかを容易に確認するのに適している。
【００４５】
本発明に係る施錠装置およびゴミ箱は、上述した実施形態に限定されるものではない。本発明に係る施錠装置およびゴミ箱の各部の具体的な構成は、種々に設計変更自在である。
【００４６】
本発明に係るゴミ箱としては、上述した本体がゴミ受容部を兼ねた構造のものに限定されず、たとえばゴミ受容部自体が箱状の独立体として形成されており、このゴミ受容部が出し入れ可能とされた構成であってもよい。上述した蓋は、本発明で言う開閉部材の一例である。たとえば、ゴミを投入するための開口とは別に開閉部材としての扉をゴミ箱の正面部に設け、この扉を開閉することによりその内部に収容された箱状のゴミ受容部を出し入れする構成とされたゴミ箱であっても、本発明に含まれることはもちろんである。
【図面の簡単な説明】
【００４７】
【図１】本発明に係る施錠装置およびゴミ箱の一例を示す全体斜視図である。
【図２】本発明に係る施錠装置の一例を示す断面図である。
【図３】本発明に係る施錠装置の一例のロック状態示す断面図である。
【図４】本発明に係る施錠装置の一例のアンロック状態示す断面図である。
【図５】図２のＶ−Ｖ線に沿う要部断面図である。
【図６】図２のＶI−ＶＩ線に沿う要部断面図である。
【図７】図２のＶＩＩ−ＶＩＩ線に沿う要部断面図である。
【図８】本発明に係る施錠装置の使用方法を説明するための側面模式図である。
【図９】本発明に係る施錠装置の使用方法を説明するための側面模式図である。
【図１０】本発明に係る施錠装置の使用方法を説明するための側面模式図である。
【図１１】本発明に係るゴミ箱の側面図である。
【図１２】従来のゴミ箱の一例を示す側面図である。
【符号の説明】
【００４８】
Ａ      施錠装置
Ｂ      ゴミ箱
Ｂａ    ゴミ受容部
Ｂｂ    蓋（開閉部材）
Ｂｃ    止め具
Ｂｄ    シールゴム
Ｃ      カードキー
Ｃａ    キー孔
Ｌ      施錠機構
１      ケース
１ａ    挿入口
２      ロックレバー
２ａ    先端部
２ｂ    係合部
３      ストッパレバー
４      スライドブロック
５Ａ，５Ｂ  ガイドブロック
６      ロックピン
７      アーム
７ａ    凹部
１１    止め具受容部
２８    バネ
３ａ    先端部
３８    バネ
４１    孔
４１ａ  縦溝
４２    突起
４３    ピン溝
４４    突き当て部材
５１    ガイド溝
５１ｖ  鉛直溝
５１ｈ  水平溝
５２    スライド溝
６１    先端部
６２    円柱部
６３    突起
６８    バネ
７１    バー
７２    突起
【図１】
2007285002.tif 000003
【図２】
2007285002.tif 000004
【図３】
2007285002.tif 000005
【図４】
2007285002.tif 000006
【図５】
2007285002.tif 000007
【図６】
2007285002.tif 000008
【図７】
2007285002.tif 000009
【図８】
2007285002.tif 000010
【図９】
2007285002.tif 000011
【図１０】
2007285002.tif 000012
【図１１】
2007285002.tif 000013
【図１２】
2007285002.tif 000014